(57)【要約】  【課題】  携帯電話本体の開閉に応じて芳香剤等を噴霧したり、利用者が設定した時間に芳香剤を噴霧するのではなく、携帯電話の利用状況に応じて、携帯電話本体に除菌剤や芳香剤といった消臭剤等を自動的に噴霧することができる、消臭機能を有する携帯電話充電器の提供を課題とする。  【解決手段】  携帯電話に記録されている通話履歴を取得し、充電器が携帯電話を消臭した日付を取得し、取得した消臭日付の最終消臭日付から、所定の充電開始動作までの通話時間を算出し、算出された通話時間が、予め定められた所定時間を超えている場合には、携帯電話に消臭剤を噴霧する携帯電話充電器を構築した。【選択図】図１
2010011411.tif 000002
【特許請求の範囲】
【請求項１】
充電機能と共に携帯電話の消臭機能を有する充電器であって、携帯電話に記録されている通話履歴を取得する通話履歴取得手段と、当該充電器が携帯電話を消臭した日付を管理する消臭履歴管理手段と、前記消臭履歴に記録されている最終消臭日付から、所定の充電開始動作までの間の通話時間を算出する通話時間算出手段と、当該算出された通話時間が、予め定められた所定時間を超えている場合には、所定の噴霧手段をもって携帯電話に消臭剤を噴霧するように制御する噴霧制御手段と、が設けられていることを特徴とする消臭機能を有する携帯電話充電器。
【発明の詳細な説明】
【技術分野】
【０００１】
本発明は、自動的に携帯電話の消臭を行うことができる、携帯電話用の充電器に関する。
【背景技術】
【０００２】
近年、携帯電話を所持している人は、約６５％となり、今では３人に２人が携帯電話を使用していることになる。この携帯電話の普及により利用者は、従来の自宅などに設置されている固定電話や、公衆電話を使用していた時のような、他の利用者を気にして通話することなく、通話を行うことが可能となり、よって、長時間携帯電話を使用する機会も増えた。しかし、この携帯電話は、利用者個人で所有していることが多いためか、長時間使用したとしても利用者はメンテナンスなどを行うことは少なく、特に通話用のマイクロホン周辺には、長時間の通話により利用者の唾液等が吹きかけられ、細菌が付着することにより異臭等の原因となったりする。このような問題に対して、特許文献１では、折り畳み式の携帯電話本体のヒンジ内部に噴射ノズルを設け、携帯電話本体が開いた時に噴射ノズルから、芳香剤や香水を噴射する技術が開示されている。また特許文献２では、携帯電話の充電機能を有した芳香器にて、設定した時間に芳香器または携帯電話の充電機能を作動させる技術が開示されている。
【特許文献１】特開２００６−１９７９４号公報
【特許文献２】特開２００７−６５６２号公報
【発明の開示】
【発明が解決しようとする課題】
【０００３】
しかしながら、特許文献１では、折り畳み式の携帯電話本体の開閉に応じて、本体内部に格納している芳香剤等を噴射しているため、実際には利用者が芳香剤により除菌や消臭が必要のない場合でも、噴射されることになる。また、特許文献２の充電機能を有した芳香器は、携帯電話を除菌したり消臭するものではなく、室内に芳香剤を揮散する芳香器に携帯電話を充電できるコネクタに取り付け、設定した時間に芳香器または充電機能を作動させるものであり、携帯電話本体を除菌したり消臭するものではない。そこで本発明では、従来のように、携帯電話本体の開閉に応じて芳香剤等を噴霧したり、利用者が設定した時間に芳香剤を噴霧するのではなく、携帯電話の利用状況に応じて、携帯電話本体に除菌剤や芳香剤といった消臭剤等を自動的に噴霧することができる、消臭機能を有する携帯電話充電器の提供を課題とする。
【課題を解決するための手段】
【０００４】
上記課題を鑑み、本発明の消臭機能を有する携帯電話充電器とは、充電機能と共に携帯電話の消臭機能を有する充電器であって、携帯電話に記録されている通話履歴を取得し、充電器が携帯電話を消臭した日付を記録し、記録されている消臭日付の最終消臭日付から、所定の充電開始動作までの通話時間を算出し、算出された通話時間が、予め定められた所定時間を超えている場合には、携帯電話に消臭剤を噴霧し、噴霧した後には、噴霧した日付を記録することにより上記課題を解決した。
【０００５】
すなわち、充電機能と共に携帯電話の消臭機能を有する充電器であって、携帯電話に記録されている通話履歴を取得する通話履歴取得手段と、当該充電器が携帯電話を消臭した日付を管理する消臭履歴管理手段と、前記消臭履歴に記録されている最終消臭日付から、所定の充電開始動作までの間の通話時間を算出する通話時間算出手段と、当該算出された通話時間が、予め定められた所定時間を超えている場合には、所定の噴霧手段をもって携帯電話に消臭剤を噴霧するように制御する噴霧制御手段と、が設けられていることを特徴とする消臭機能を有する携帯電話充電器。
【発明の効果】
【０００６】
本発明の消臭機能を有する携帯電話充電器とは、充電器が携帯電話を消臭した最終消臭日付から所定の充電開始動作までの通話時間を算出し、予め定められた所定時間を超えている場合には、携帯電話に消臭剤を噴霧することにより、実際に利用者が通話した通話時間をもとに芳香剤や除菌剤といった消臭剤等を噴霧することが可能となる。よって、従来のような折り畳み式の携帯電話本体が開かれる度に噴霧するのではなく、無駄なく利用者の利用状況に応じて芳香剤や消臭剤を噴霧することができ、かつ、利用者が芳香剤や消臭剤等の噴霧時間を設定することなく自動的に噴霧することが可能となり、携帯電話本体を効果的に消臭できるといった効果を奏する。
【発明を実施するための最良の形態】
【０００７】
以下に、本発明の携帯電話充電器について最適な実施例を挙げ、先ず、図１に示す本携帯電話充電器のブロック構成図について説明する。
【０００８】
図１は、本発明の携帯電話充電器（１）の主要構成部のブロック構成図である。本実施例の携帯電話充電器（１）は、携帯電話が挿入されることにより、携帯電話の充電端子と充電器の充電端子が接触し携帯電話内部の充電池を充電するものである。
【０００９】
具体的には、携帯電話充電器（１）は、制御部および各種機能手段から構成されており、先ずは携帯電話が挿入されることにより、通話履歴取得手段（３）は、当該携帯電話に紐づけられ記録されている通話履歴を取得した後、制御部内部フラッシュメモリ（２）の通話履歴管理テーブル（Ｔ１）に記録し、消臭履歴管理手段（４）は、消臭履歴管理テーブル（Ｔ２）に記録されている当該携帯電話の消臭履歴を参照し、参照した消臭履歴の最終消臭日付から、所定の充電開始までの通話時間を、通話時間算出手段（５）を用いて算出し通話時間管理テーブル（Ｔ３）に記憶した後に、算出された通話時間が、予め利用者が設定した通話時間を超えている場合には、噴霧制御手段（７）は噴霧手段（６）を制御して携帯電話充電器内部に消臭剤を噴霧し、携帯電話（１）の消臭を行う。
【００１０】
次に、図２に示す本携帯電話充電器の内部構成図について説明する。
【００１１】
図２は、本携帯電話充電器の内部構成図を示すものであり、本発明の携帯電話充電器（１）は、外観的にはトップカバー（Ｃ１）と電源ケーブルからなる。そして、内部構成としては、利用者が携帯電話をフォルダー（Ｃ７）に挿入ことにより、携帯電話（ｐｈ）の充電端子（Ｃ２）と充電器の充電端子（Ｃ３）が接触し充電動作が開始される。この充電操作の開始により、充電器の制御部（Ｃ４）は、当該挿入された携帯電話（ｐｈ）の通話履歴を、制御部（Ｃ４）内部のフラッシュメモリ（図示省略）に取得し、当該フラッシュメモリに記録されている消臭履歴を参照し、参照した最終消臭日付と取得した通話履歴より、今回の充電開始動作までの通話時間を算出した後に、予め利用者が設定した通話時間を超えている場合には、噴霧手段（Ｃ６）に接続されている制御弁（図示省略）を開放し、消臭剤収納部（Ｃ５）に加圧状態に収納されている、消臭剤を充電器内部に噴霧する。
【００１２】
次に、図３に示す通話履歴および消臭履歴管理テーブルの概略図について説明する。
【００１３】
図３（ａ）通話履歴管理テーブルの概略図とは、所定の携帯電話に記録されている通話履歴を取得し記憶したものであり、この通話履歴管理テーブル（Ｔ１）の構成要件として、通話履歴が記録されている携帯電話の端末ＩＤを示す「端末ＩＤ」フィールド（ｆ１）と、取得した通話履歴の管理番号を示す「管理番号」フィールド（ｆ２）と、通話した日付を示す「日付」フィールド（ｆ３）と、利用者が通話した時刻の開始と終了を示す「時刻」フィールド（ｆ４）と、これにもとづき利用者が実際に通話した時間を示す「通話時間」フィールド（ｆ５）から構成されている。
【００１４】
そして、次に図３（ｂ）消臭履歴管理テーブルの概略図とは、フラッシュメモリに記録されている所定の携帯電話の消臭履歴を示したものであり、この消臭履歴管理テーブル（Ｔ２）の構成要件として、取得した消臭履歴の管理番号を示す「管理番号」フィールド（ｆ１）と、最後に消臭した日付を示す「最終消臭日付」フィールド（ｆ２）と、消臭履歴が記録されている携帯電話の端末ＩＤを示す「端末ＩＤ」フィールド（ｆ３）から構成されている。
【００１５】
次に図４に示す、通話時間管理テーブルの概略図について説明する。
【００１６】
図４（１）通話時間管理テーブルの概略図とは、前記通信履歴管理テーブルと消臭履歴管理テーブルを参照し、最終消臭日付と取得した通話履歴より、今回の充電動作開始までの通話時間を算出したものであり、この通話時間管理テーブル（Ｔ３）の構成要件として、携帯電話の端末ＩＤを示す「端末ＩＤ」フィールド（ｆ１）と、当該携帯電話を最後に消臭した日付を示す「最終消臭日付」フィールド（ｆ２）と、利用者が携帯電話等で予め設定した、消臭開始通話時間を示す「消臭開始通話時間」フィールド（ｆ３）と、通話時間の管理番号を示す「管理番号」フィールド（ｆ４）と、通話した日付を示す「日付」フィールド（ｆ５）と、通話時間を示す「通話時間」フィールド（ｆ６）と、最終消臭日付から積算した通話時間を示す「積算通話時間」フィールド（ｆ７）から構成されており、本実施例では、消臭開始通話時間を１８０分（３時間）としており、積算した通話時間が１８０分以上、「管理番号７」に利用者により充電作業が行われた場合には、自動的に消臭剤を噴霧することになる。
【００１７】
次に図５に示す、消臭開始処理を時系列に示す図について説明する。
【００１８】
図５は、消臭開始処理を時系列に示したものであり、（１）１８０分以上の通話をした時の消臭開始処理とは、予め利用者により消臭開始通話時間を１８０分と設定した時の流れを示したものである。詳しくは、１．充電動作にて、充電器は携帯電話に消臭剤を噴霧する。そして、消臭剤を噴霧して次の２．充電動作の場合には、通話は１００分しかしておらず、利用者が設定した１８０分以下であるため、このタイミングでの消臭剤の噴霧は行わない。そして、次の３．充電動作の場合には、最終消臭処理である、１．充電動作の消臭処理から通話時間が１９０分経過しており、利用者が設定した消臭開始通話時間１８０分を超えているため、消臭剤を噴霧する。次の、消臭剤噴霧後の４．充電動作に関しては、前回噴霧した３．充電処理から、通話時間が２０分しか経過していないために、消臭剤の噴霧を行わないことになる。このような処理にて、最終消臭日付から利用者が予め設定した、通話時間を超えている場合には携帯電話を自動的に噴霧することが可能となる。なお、消臭剤の噴霧時間は何れの消臭処理でも、本実施例では一定（例えば、１０秒）であるが、算出された通話時間レベルに応じて噴霧時間を変えても構わない。例えば、１８０〜２００分を１０秒、２００〜２２０を１５秒、２２０分以上を２０秒などとして予想される臭いの程度に相応するように設定するのでも良い。また、本実施例では、設定通話時間（１８０分）を利用者が設定する構成であるが、利用者が設定できない構成として初期設定される構成であっても構わない。
【００１９】
次に消臭剤噴霧処理を示すフローについて説明する。
【００２０】
図６は、利用者が充電器に携帯電話を挿入してから、充電器内部に消臭剤を噴霧するまでの流れを示したものである。先ず、利用者が携帯電話を充電器に挿入することにより、携帯電話から通話履歴を取得する（Ｓ１）。次に充電器に記録されている当該携帯電話の消臭履歴を取得し（Ｓ２）、取得した消臭履歴と通話履歴を参照し、最終消臭日付から所定の充電動作までの通話時間を算出する（Ｓ３）。そして、噴霧制御手段により、予め定めた通話時間を超えているか否かを判定し（Ｓ４）、設定した通話時間を超えている場合には、充電器内部に消臭剤を自動的に噴霧するように制御し（Ｓ５）、携帯電話を消臭すると消臭した日付を記録する（Ｓ６）。
【００２１】
本携帯電話充電器は、充電器が携帯電話を消臭した最終消臭日付から所定の充電開始動作までの通話時間を算出し、予め定められた所定時間を超えている場合には、携帯電話に消臭剤を噴霧することにより、実際に利用者が通話した通話時間をもとに芳香剤や消臭剤を噴霧することが可能となる。よって、無駄なく利用者の利用状況に応じて消臭剤を噴霧することができ、かつ、利用者が噴霧開始時間を設定することなく、自ら消臭作業を行うこともなく、自動的に携帯電話本体に消臭剤を噴霧することが可能となる。
【図面の簡単な説明】
【００２２】
【図１】本携帯電話充電器の主要構成部のブロック構成図
【図２】本携帯電話充電器の内部構成図
【図３】通話履歴および消臭履歴管理テーブルの概略図
【図４】通話時間管理テーブルの概略図
【図５】消臭開始処理を時系列に示す図
【図６】消臭剤噴霧処理を示すフロー
【符号の説明】
【００２３】
１           携帯電話充電器
２           フラッシュメモリ
３           通話履歴取得手段
４           消臭履歴管理手段
５           通話時間算出手段
６         
噴霧手段
７          
噴霧制御手段
Ｔ１         通話履歴管理テーブル
Ｔ２         消臭履歴管理テーブル
Ｔ３         通話時間管理テーブル
【図１】
2010011411.tif 000003
【図２】
2010011411.tif 000004
【図３】
2010011411.tif 000005
【図４】
2010011411.tif 000006
【図５】
2010011411.tif 000007
【図６】
2010011411.tif 000008